(57)【要約】【課題】　ワイヤレス通信における搬送ブロックサイズのシグナリング方法を提供する。【解決手段】　搬送ブロックサイズを指示する第１情報を含む情報を送信し、該第１情報は、ビットの設定数である搬送ブロックサイズを指示する。次いで、第１情報により指示された上記搬送ブロックサイズを使用してパケットを送信する。搬送ブロックサイズを指示する第２情報を使用してパケットを再送信し、第２情報は、ビットの設定数である搬送ブロックサイズを指示する。第２情報が無効の搬送ブロックサイズを指示する場合に、第１情報により指示された搬送ブロックサイズを再送信に使用する。【選択図】　　　図２
2004147331.tif 000002
【特許請求の範囲】
【請求項１】
　搬送ブロックサイズを指示する第１情報を含む情報を送信し、上記第１情報は、ビットの設定数である搬送ブロックサイズを指示し、
　上記第１情報により指示された上記搬送ブロックサイズを使用してパケットを送信し、そして
　搬送ブロックサイズを指示する第２情報を使用して上記パケットを再送信し、上記第２情報は、ビットの設定数である搬送ブロックサイズを指示し、
　上記第２情報が無効の搬送ブロックサイズを指示する場合に、上記第１情報により指示された搬送ブロックサイズを上記再送信に使用する、
という段階を備えた搬送ブロックサイズのシグナリング方法。
【請求項２】
　上記無効搬送ブロックサイズは、所定のＴＢＳインデックスにより指示される請求項１に記載の方法。
【請求項３】
　上記無効搬送ブロックサイズは、全てゼロのビット又は全てゼロのビットより成る情報により指示される請求項１に記載の方法。
【請求項４】
　搬送ブロックサイズを指示する上記第１情報及び第２情報は、６ビットより成る請求項１に記載の方法。
【請求項５】
　ワイヤレス通信システムにおいてベースステーションと移動装置との間で上記情報の送信、パケットの送信及びパケットの再送信を実行する段階を更に備えた請求項１に記載の方法。
【請求項６】
　３Ｇワイヤレス通信システムにおいてベースステーションと移動装置との間で上記情報の送信、パケットの送信及びパケットの再送信を実行する段階を更に備えた請求項１に記載の方法。
【請求項７】
　ハイスピードダウンリンクパケットアクセス（ＨＳＤＰＡ）を実施するワイヤレス通信システムにおいてベースステーションと移動装置との間で上記情報の送信、パケットの送信及びパケットの再送信を実行する段階を更に備えた請求項１に記載の方法。
【請求項８】
　ベースステーションと少なくとも１つの移動装置とを備えたワイヤレス通信システムにおいて、上記ベースステーションは、
　搬送ブロックサイズを指示する第１情報を含む情報を送信し、上記第１情報は、ビットの設定数である搬送ブロックサイズを指示し、
　上記第１情報により指示された上記搬送ブロックサイズを使用してパケットを送信し、そして
　搬送ブロックサイズを指示する第２情報を使用して上記パケットを再送信し、上記第２情報は、ビットの設定数である搬送ブロックサイズを指示し、
　上記第２情報が無効の搬送ブロックサイズを指示する場合に、上記第１情報により指示された搬送ブロックサイズを上記再送信に使用する、
ことにより情報を送信するワイヤレス通信システム。
【請求項９】
　上記無効搬送ブロックサイズは、所定のＴＢＳインデックスにより指示される請求項８に記載のワイヤレス通信システム。
【請求項１０】
　上記無効搬送ブロックサイズは、全てゼロのビット又は全てゼロのビットより成る情報により指示される請求項８に記載のワイヤレス通信システム。
【請求項１１】
　搬送ブロックサイズを指示する上記第１情報及び第２情報は、６ビットより成る請求項８に記載のワイヤレス通信システム。
【請求項１２】
　上記ワイヤレス通信システムは、３Ｇワイヤレス通信システムである請求項８に記載のワイヤレス通信システム。
【請求項１３】
　上記ワイヤレス通信システムは、ハイスピードダウンリンクパケットアクセス（ＨＳＤＰＡ）を実施する請求項８に記載のワイヤレス通信システム。
【請求項１４】
　ワイヤレス通信システムのベースステーションにおいて、該ベースステーションは、
　搬送ブロックサイズを指示する第１情報を含む情報を送信し、上記第１情報は、ビットの設定数である搬送ブロックサイズを指示し、
　上記第１情報により指示された上記搬送ブロックサイズを使用してパケットを送信し、そして
　搬送ブロックサイズを指示する第２情報を使用して上記パケットを再送信し、上記第２情報は、ビットの設定数である搬送ブロックサイズを指示し、
　上記第２情報が無効の搬送ブロックサイズを指示する場合に、上記第１情報により指示された搬送ブロックサイズを上記再送信に使用する、
ことにより情報を送信するベースステーション。
【請求項１５】
　上記無効搬送ブロックサイズは、所定のＴＢＳインデックスにより指示される請求項１４に記載のベースステーション。
【請求項１６】
　上記無効搬送ブロックサイズは、全てゼロのビット又は全てゼロのビットより成る情報により指示される請求項１４に記載のベースステーション。
【請求項１７】
　搬送ブロックサイズを指示する上記第１情報及び第２情報は、６ビットより成る請求項１４に記載のベースステーション。
【請求項１８】
　上記ワイヤレス通信システムは、３Ｇワイヤレス通信システムである請求項１４に記載のベースステーション。
【請求項１９】
　上記ワイヤレス通信システムは、ハイスピードダウンリンクパケットアクセス（ＨＳＤＰＡ）を実施する請求項１４に記載のベースステーション。
【請求項２０】
　ワイヤレス通信システムのユーザターミナルにおいて、該ユーザターミナルは、
　搬送ブロックサイズを指示する第１情報を含む情報を受信し、上記第１情報は、ビットの設定数である搬送ブロックサイズを指示し、
　上記第１情報により指示された上記搬送ブロックサイズを使用してパケットを受信し、そして
　搬送ブロックサイズを指示する第２情報を使用して上記パケットを二回目に受信し、上記第２情報は、ビットの設定数である搬送ブロックサイズを指示し、
　上記第２情報が無効の搬送ブロックサイズを指示する場合に、上記第１情報により指示された搬送ブロックサイズを、上記パケットを二回目に受信するときに使用する、
ことによりベースステーションから情報を受信するユーザターミナル。
【請求項２１】
　上記無効搬送ブロックサイズは、所定のＴＢＳインデックスにより指示される請求項２０に記載のユーザターミナル。
【請求項２２】
　上記無効搬送ブロックサイズは、全てゼロのビット又は全てゼロのビットより成る情報により指示される請求項２０に記載のユーザターミナル。
【請求項２３】
　搬送ブロックサイズを指示する上記第１情報及び第２情報は、６ビットより成る請求項２０に記載のユーザターミナル。
【請求項２４】
　上記ワイヤレス通信システムは、３Ｇワイヤレス通信システムである請求項２０に記載のユーザターミナル。
【請求項２５】
　上記ワイヤレス通信システムは、ハイスピードダウンリンクパケットアクセス（ＨＳＤＰＡ）を実施する請求項２０に記載のユーザターミナル。
【発明の詳細な説明】
【技術分野】
【０００１】
　本発明は、ワイヤレス通信に係る。より詳細には、本発明は、ワイヤレス通信における搬送ブロックサイズ（ＴＢＳ）シグナリングに係る。
【背景技術】
【０００２】
　移動装置を含むシステムでは、パケットが一般に多数の変調機構の１つを使用して送信される。所与の転送中に送信される全てのパケットは、一般に、同じ搬送ブロックサイズ（ＴＢＳ）に合致する。パケットの送信者は、パケットが送信される前に、とりわけ変調機構及び搬送ブロックサイズを受信者に知らせる情報を送信する。それ故、それ故、パケットが送信されると、受信者は、変調機構、マルチコードの数、及びパケットの搬送ブロックサイズが分かり、それ故、情報を正しく暗号解読して受信することができる。
【０００３】
　高い分解能を許すために搬送ブロックサイズ（現在６ビット）の定義に割り当てられるビットの数を増加する提案がなされている。これらの提案は、第三世代パートナーシッププロジェクト（３ＧＰＰ）標準化作業に参加した人々に特に知られている。それらは、特に、ワイドバンドコード分割多重アクセス（ＷＣＤＭＡ）及びハイスピードダウンリンクパケットアクセス（ＨＳＤＰＡ）に関連した分野で働く個人である。ＨＳＤＰＡでは、ＴＢＳフィールドが、他の情報と一緒に、ハイスピード共用コントロールチャンネル（ＨＳ−ＳＣＣＨ）に入れられる。図１は、ＨＳ−ＳＣＣＨシグナリングビットの割り当てを例示する図である。
【０００４】
　３ＧＰＰ仕様書のリリース５では、ＴＢＳが、６ビットのＴＢＳフィールドを使用してＨＳ−ＳＣＣＨにおいてシグナリングされる。このビットの意味は、変調機構及びチャンネル化コードの数と結び付けられる。参考としてその全体をここに援用する３ＧＰＰ　ＴＳ　２５．３２１　ｖ５．２．０（２００２−０９）、特に、搬送ブロックサイズのシグナリングに関する第９．２．３章を参照されたい。
【０００５】
　搬送ブロックサイズ（ＴＢＳ）は、情報のコンテンツが同じでなければならないので、第１送信と再送信とに対して同じでなければならない。再送信は、異なる冗長性バージョン（ＲＶ）、即ち異なるコード、異なる数のチャンネル化コード（現在は僅かな変化が許されている）を使用することができる。ＴＢＳは、ＨＳ−ＳＣＣＨ上での各再送信に対し、変調機構、チャンネル化コードセット、冗長性バージョン及び他のＨＡＲＱパラメータと一緒にシグナリングされる。
【０００６】
　異なる変調機構間ではＴＢＳがある程度重畳しており、理論的には、変調機構をある特殊なケースに変更できるが、実際には、再送信のために変調を変更することはできない。これは、第１の送信が１６ＱＡＭで行われ、そしてチャンネル特性が悪いために、再送信にはＱＰＳＫが優れている場合に、問題となる。
【０００７】
　この問題は、まだ充分に解決されていない。１つの３ＧＰＰ提案では、ＱＰＳＫに対して７ビットのＴＢＳフィールドが提案され、そして１６ＱＡＭに対して６ビットのＴＢＳフィールドが提案されている。
【０００８】
　別の提案は、ＭＡＣ−ＰＤＵが使用可能な搬送ブロックサイズと厳密に同じサイズでない場合に最悪の相対的パッディングを最小にするために対数変換により搬送ブロックサイズをマッピングすることである。これは、「Signaling of Transport Block Size for HS-DSCH」（エリクソン）と題する文書Ｒ２−０２２１６６８に説明されている。しかしながら、この解決策は、搬送ブロックサイズのシグナリングに固定数のビットを仮定するもので、搬送ブロックサイズは、変調及びマルチコード設定に依存する。それ故、パケットが転送され、そしてエラーが発生して再送信が要求される場合には、この解決策による再送信を、同じ変調機構を使用して行わねばならない。従って、送信装置（例えば、ベースステーション）は、再送信が要求されたときに変調機構を自由に選択することができない。
【０００９】
　又、ＴＢＳは常に同じであるから、それを常に再送信でシグナリングする必要はなく（ＵＥが第１送信でＨＳ−ＳＣＣＨを正しく受信するとすれば）、ＴＢＳは、再送信ではＵＥにより無視することができる。従って、ノードＢは、変調機構及びチャンネル化コードの数を再送信に対して自由に変更することができ、この形式の動作モジュールは、上位層のシグナリングによりオン／オフにスイッチすることができる。この提案に伴う問題は、ＵＥが第１の送信を正しく受信しない場合に、ＴＢＳを全く得ることができず（ノードＢが変調又はチャンネル化コードの数を変更した場合に再送信においてそれが無意味なものになるので）、ＴＢＳが失われることである。
【発明を実施するための最良の形態】
【００１０】
　以下、添付図面を参照して、本発明の実施形態を詳細に説明する。
　ワイヤレス通信システムは、公知である。一般に、このシステムは、少なくとも１つのベースステーションコントローラと、複数のベースステーション（３ＧＰＰ仕様では「ノードＢ」と称される）とを備え、その各々は、シグナリング情報を含む情報を複数の移動ステーション（即ちユーザ装置）へ送信する。シグナリング情報は、搬送ブロックサイズと、冗長バージョンと、変調モードと、マルチコードの数とを含む。移動装置は、この情報を受け取ると、その後に転送されるパケットの変調機構及び搬送ブロックサイズを知る。この情報は、パケットを適切に受信するのに使用される。移動装置は、正しい変調機構を使用し、その変調機構に基づいて搬送ブロックサイズをいかにデコードするかを知る。３ＧＰＰ仕様に基づくワイヤレス通信システムの詳細は、参考としてここに取り上げる３ＧＰＰ　ＴＤ　２５．３２１　ｖ５．２．０（２００２−０９）の第２章に掲載された文書に述べられている。
【００１１】
　本発明の好ましい実施形態は、変調形式と、ＨＳ−ＳＣＣＨ（ハイスピードダウンリンクパケットアクセス（ＨＳＤＰＡ）のための共用コントロールチャンネル）におけるマルチコードとに基づいて搬送ブロックサイズをシグナリングする方法及びシステムに係る。特に、この実施形態は、３ＧＰＰ　ＴＳ　２５．３２１　ｖ５．２．０（２００２−０９）の第９．２．３章に規定された仕様の拡張に係る。しかしながら、本発明は、ここに述べる実施形態に限定されるものではなく、多数の環境、ワイドバンドコード分割多重アクセス（ＷＣＤＭＡ）等にも適用することができる。
【００１２】
　本発明の好ましい実施形態では、「無効」ＴＢＳを指示するためにＴＢＳインデックスの１つが指定される。例えば、従来最高のコードレートを指示する全て１（１１１１１１）のＴＢＳを、この目的に使用することができる。ＴＢＳフィールドは、従来の方法でそれをシグナリングできるときには、従来の値を有してもよい。ノードＢが再送信のために変調機構又はチャンネル化コードの数を変更したい場合には、それを行うことが許され、そして指定のＴＢＳフィールド（例えば、１１１１１１）を使用して、ＴＢＳがこの送信において有効でないこと（図２を参照）及び第１の送信のＴＢＳを使用すべきであることを指示する。指定のＴＢＳフィールドは、考えられる値のいずれか１つに指定することができる。
【００１３】
　ＵＥが第１の送信を見落とした場合には（ノードＢは、通常、見落としＡＣＫ／ＮＡＣＫによってこれを通知できる）、ノードＢは、ＴＢＳフィールドが有効であるように再送信を行うことができ、そして第１送信のＨＳ−ＳＣＣＨが正しく受信された場合だけ、変調機構を変更し（もし必要であれば）、無効ＴＢＳを指示する。上位層シグナリングは不要である。１つの指定のＴＢＳインデックスは、ＴＢＳが有効でないときにＵＥに通知する。
【００１４】
　本発明を説明するために、直角位相シフトキーイング（ＱＰＳＫ）及び１６直角振幅変調（ＱＡＭ）の変調機構を一例として使用する。この例は、ノードＢが例えば次のシーケンス（所与の搬送ブロックの第１、第２、第3等の送信）を送信するのを許す。
　１．１６ＱＡＭ、１０コード、有効ＴＢＳインデックス＝ｋ（＝４０）、ＲＶ＝ｉ
　２．ＱＰＳＫ、１０コード、無効ＴＢＳインデックス＝６３（＝１１１１１１）、ＲＶ＝ｘ
　３．ＱＰＳＫ、８コード、無効ＴＢＳインデックス＝６３（＝１１１１１１）、ＲＶ＝ｙ
　４．１６ＱＡＭ、９コード、有効ＴＢＳインデックス＝ｍ（＝４５）、ＲＶ＝ｚ
　５．ＱＰＳＫ、１０コード、無効ＴＢＳインデックス＝６３（＝１１１１１１）、ＲＶ＝ｗ等
　６．１６ＱＡＭ、５コード、無効ＴＢＳインデックス＝６３（＝１１１１１１）、ＲＶ＝ｖ
【００１５】
　即ち、有効のＴＢＳインデックスをもつことができるたびに、それが使用され、そしてそれをもつことができなければ、ＴＢＳインデックス＝６３（＝１１１１１１）が使用される。
　上記の好ましい実施形態では、第１の送信に対するＴＢＳインデックス＝ｋ、及び第４の送信に対するＴＢＳインデックス＝ｍは、同じ搬送ブロックサイズを指示しなければならない（チャンネル化コードの数が変更されているので異なるインデックスが必要である）。冗長バージョンＲＶは、いかなる許容値をもつこともできる（典型的に第１の送信に対してＲＶ＝０）。
【００１６】
　上記例では、第１の送信は、１２４８８の搬送ブロックサイズ（ＴＢＳインデックス＝４０に対応する；詳細については、ＴＳ２５．３２１　ｖ．５．２．０を参照）を使用して１６ＱＡＭ及び１０チャンネル化コードで行われ、即ちＴＢＳインデックス＝４０がシグナリングされる。冗長バージョンは、例えば、ＲＶ−０である。
【００１７】
　第２の送信は、ＱＰＳＫ及び１０コードで行われる。ＱＰＳＫ及び１０コードが使用されるときには１２４８８の搬送ブロックサイズを指示することはできないので（この場合に指示することのできる最大ＴＢＳは、９３７７で、ＴＢＳインデックス＝６２である）、第１送信の搬送ブロックサイズ（即ち１２４８８）を使用すべきであることを指示するようにＴＢＳインデックス＝６３がシグナリングされる。
【００１８】
　第３の送信は、ＱＰＳＫ及び８コードで行われる。この場合も、実際のＴＢＳは、ＴＢＳインデックスで指示することができず、ＴＢＳインデックス＝６３がシグナリングされる。ＵＥは、第１送信でシグナリングされた１２４８８の実際のＴＢＳを使用して、第３送信をデコードする。
【００１９】
　第４の送信は、１６ＱＡＭ及び９コードで行われる。コードチャンネルの数は第１送信と同じではないが、ＴＢＳインデックス＝４５を使用して１２４８８の実際のＴＢＳをシグナリングすることができる。
　第５の送信は、再び、ＱＰＳＫ及び１０コードで行われる。この場合も、ＴＢＳインデックス＝６３をシグナリングしなければならない。
【００２０】
　第６の送信は、１６ＱＡＭ及び５コードで行われる。この場合も、実際のＴＢＳを指示することができないので、ＴＢＳインデックス＝６３をシグナリングしなければならない。
　搬送ブロックサイズは、常に、再送信において同じでなければならず、従って、第１送信のＴＢＳが常に使用される（ＴＢＳインデックス＝６３のときだけでなく）。ＴＢＳは、移動ステーションが第１送信を失うことがあるので、送信のたびにシグナリングされる。本発明の好ましい実施形態では、チャンネルビットの数を再送信に対して変更して、ＴＢＳをそれ以上シグナリングできないようにし、この場合には、ＴＢＳインデックス＝６３を使用しなければならない。さもなければ、移動ステーションは、送信でシグナリングされたＴＢＳを使用することができる（再送信でシグナリングされたＴＢＳが、第１送信でシグナリングされたＴＢＳと異なる場合には、どこかにエラーがあり、即ちシグナリング情報が一方の送信において変更されたか、又は移動ステーションが、同じデータブロックの送信ではない２つの送信を合成しようと試みるかのいずれかである）。
【００２１】
　変形形態においては、ＱＰＳＫ及び１６ＱＡＭ変調機構のＴＢＳ間を更に又は完全に重畳させるために、ＴＢＳシグナリングに対してより多くのビットを使用することができる。余計なビット（１つ又は複数）は、搬送ブロックサイズシグナリングの動作範囲を拡張する。
　図２は、本発明の実施形態に基づくＨＳ−ＳＣＣＨシグナリングの割り当てを示す図である。本発明によれば、チャンネル化コードセットは、７ビットで表わされ、変調機構は、１ビットで表わされ、Ｈ−ＡＲＱプロセス番号は、３ビットで表わされ、新たなデータインジケータは、１ビットで表わされ、そしてＣＲＣ（繰り返し冗長度チェック）は、１６ビットで表わされる。
【００２２】
　ベースステーションが、１６ＱＡＭの変調モードを表わすシグナリングを転送し、次いで、パケットを移動装置へ送信し、１つ以上のパケットがエラーで受信された場合には、ベースステーションは、その特定のエラーパケットを再送信して、変調モードをＱＰＳＫへ変更することができる。それ故、本発明によれば、１つの変調モードを使用して最初に送信されたパケットは、最初のパケットを送信するのに使用されたものとは異なる変調モードを使用して再送信することができる。最初のパケットは、エラー又は問題を伴って受信された等の多数の理由で再送信される。ベースステーションは、多数の理由で変調モードの変更を決定することができる。例えば、特定の変調モードが、所与の１組の条件に対して送信エラーにあまり敏感ではないか、チャンネル状態が最初の送信以来変化したか、受信者（移動装置）の信号電力が特定の変調機構又は１組の条件に対して低い、等々である。
【００２３】
　上述したように、搬送ブロックシグナリングの以前の仕様は、３ＧＰＰ　ＴＳ　２５．３２１　ｖ５．２．０（２００２−０９）に規定されており、そして搬送ブロックサイズシグナリングに対する種々の他の提案がなされている。本発明の好ましい実施形態の方法及びシステムは、この３ＧＰＰ仕様書に既に規定されたものの応用又は変更である。本発明の好ましい実施形態に適合させるための第９．２．３章のテキスト変更を以下に示す。以下のテキストは、上記文書に既に存在するテキストからコピーされるか又はそれと同様のもので、この文書を好ましい実施形態に適合させるように変更したものである。
【００２４】
　ＴＳ　２５．３２１の第９．２．３章の変更
　３ＧＰＰ　ＴＳ　２５．３２１　ｖ５．２．０からの以下のテキストに対する変更は、右側余白の縦線で示す。追加は、テキストの下線で示し、そして削除は、取消線で示す。
　９．２．３　ＨＳ−ＤＳＣＨに対する搬送ブロックサイズのシグナリング
　ＨＳ−ＤＳＣＨの場合に、搬送ブロックサイズは、ＨＳ−ＳＣＣＨを経てシグナリングされたＴＦＲＩ値から導出される。各モードに対するＴＦＲＩ値と搬送ブロックサイズとの間のマッピングを以下に示す。
【００２５】
　９．２．３．１　ＦＤＤに対する搬送ブロックサイズ
　チャンネル化コードセット及び変調機構の各組合せｉ＝０・・３１に対し、１組のｋi＝０・・６２搬送ブロックサイズＬ（ｉ、ｋi）は、次のように与えられる。
i=0及びki<39の場合に
L(i,ki) = 137+12ki
ki=0,...38
その他
2004147331.tif 000003
ρ=2085/2048
Lmin=296
ko,i=from table 9.2.3.1
ki=0,...62
終了
ki=63、即ち全て１の搬送ブロックサイズインデックスは、無効の搬送ブロックサイズを指示するのに使用され、以前の送信の搬送ブロックサイズを使用しなければならない（これは、通常、再送信の場合にのみ使用される）。上記「ｉｆ」ステートメントは、ＱＰＳＫ変調を使用する単一チャンネル化コードに対してのみ真である。搬送ブロックサイズL(i,ki)のインデックスｋiは、ＨＳ−ＳＣＣＨを経てシグナリングされた６ビット搬送ブロックサイズインデックスに対応する。インデックスｉは、テーブル９．２．３．１に規定されたチャンネル化コードセット及び変調機構の組み合せに対応する。
【００２６】
　テーブル９．２．３．１：異なる数のチャンネル化コード及び変調機構に対するｋo,iの値
2004147331.tif 000004
【００２７】
　９．２．３．２　３．８４Ｍｃｐｓ　ＴＤＤに対する搬送ブロックサイズ
　ｋをシグナリングされたＴＦＲＩ値とすると、それに対応するＨＳ−ＤＳＣＨ搬送ブロックサイズＬkは、次のように与えられる。
k=1...510の場合に
2004147331.tif 000005
2004147331.tif 000006
Lmin = 57
k=511の場合に
Lk = 102000
ｋ＝０の場合に、Ｌkは、ＮＵＬＬを示し、ＴＦＲＩにおいて搬送ブロックサイズをシグナリングするのに使用してはならない。むしろ、同じ搬送ブロックの以前の送信の搬送ブロックサイズを使用すべきであることをシグナリングするためにｋ＝０を使用しなければならない（これは、通常、再送信のみに使用される）。
【００２８】
　９．２．３．３　１．２８Ｍｃｐｓ　ＴＤＤに対する搬送ブロックサイズ
　ＴＦＲＩ値に対する搬送ブロックサイズ（ビット）のマッピングは、ＵＥのＨＳ−ＤＳＣＨ能力クラスに依存する。ＴＦＲＩ値ｉと搬送ブロックサイズＬiとの間のマッピングは、次のように特定される。
L0 = NULL
Li = [10a+(i-1)(b-1)/62]　　　　　i = 1,2,...63
where
i = 搬送ブロックインデックス
a = log10 (TBSmin),
b = log10 (TBSmax),
and
TBSmin = 240,
TBSmax = ＵＥクラスによりサポートされる最大搬送ブロックサイズであり、これは、次の値を有する。
１．４Ｍｂ／ｓの場合に７０１６
２．０Ｍｂｐｓの場合に１０２０４、及び
２．８Ｍｂ／ｓの場合に１４０５６
【００２９】
　ＮＵＬＬ値（インデックスｉ＝０に対応する）は、ＵＥへシグナリングされない。これは、ＨＳ−ＤＳＣＨに対する指定のターゲットクオリティを満足するために使用可能な搬送ブロックサイズがノードＢにより使用できなかったことをシグナリングするために、ＵＥによりＣＱＩの「推奨搬送ブロックサイズ」フィールドに使用することができる。むしろ、ｉ＝０を使用して、同じ搬送ブロックの以前の送信の搬送ブロックサイズを使用すべきであることをＵＥにシグナリングしなければならない（これは、通常、再送信のみに使用される）。
【００３０】
　上述した例は、単に説明のためのもので、本発明をこれに限定するものではない。本発明は、好ましい実施形態について説明したが、ここで使用した表現は、説明のためのもので、限定のためのものではない。本発明の精神及び範囲から逸脱せずに、特許請求の範囲内で種々の変更がなされ得る。特定の方法、材料及び実施形態について本発明を説明したが、本発明は、これらに限定されず、特許請求の範囲内に包含される全ての機能的に同等の構造、方法及び使い方も網羅するものとする。
【図面の簡単な説明】
【００３１】
【図１】ＨＳ−ＳＣＣＨシグナリングビットの割り当てを例示する図である。
【図２】本発明の好ましい実施形態に基づくＨＳ−ＳＣＣＨシグナリングビットの割り当てを例示する図である。
【符号の説明】
【００３２】
　ＣＣＳ：　チャンネル化コードセット
　ＭＳ：　変調機構
　ＴＢＳ：　搬送ブロックサイズ
　ＨＡＰ：　ハイブリッドＡＲＱプロセスｉｄ
　ＲＶ：　冗長度及びコンステレーションバージョン
　ＮＤ：　新たなデータインジケータ
　ＵＥ−ＩＤ＋ＣＲＣ：　ユーザ装置認識＋繰り返し冗長度チェック
【図１】
2004147331.tif 000007
【図２】
2004147331.tif 000008